(57)【要約】【課題】浴槽側壁をクランプすることにより生じる、浴槽側壁の上面とその上に載置されるフレームとの間の位置ズレや摩擦力が防止されており、そして浴槽側壁の上面に配置されるフレーム等が薄肉化された浴槽用手摺りを提供する。【解決手段】本発明によれば、浴槽側壁の一の側面に対向して配置される引込み部と、前記引込み部に対向して配置される引込み操作部と、前記引込み部と前記引込み操作部とを連結する連結部とからなる可動フレームと、浴槽側壁の上面に対向して配置される水平部と、前記水平部に連結しており且つ前記浴槽側壁の一の側面の反対側に対向して配置される垂直部とからなる固定フレームと、そして前記引込み操作部に連結されており且つ前記引込み操作部を前記垂直部に対して近接又は離間させる移動装置とからなる浴槽用手摺りが提供される。【選択図】  図２
2018000557.tif 000002
【特許請求の範囲】
【請求項１】
浴槽側壁の一の側面に対向するように配置される引込み部と、
前記引込み部に対向するように配置される引込み操作部と、
前記引込み部と前記引込み操作部とを連結する連結部と
からなる可動フレームと、
浴槽側壁の上面に対向するように配置される水平部と、
前記水平部に連結しており且つ前記浴槽側壁の一の側面の反対側の他の側面に対向するように配置される垂直部と
からなる固定フレームと、そして
前記引込み操作部に連結されており且つ前記引込み操作部を前記垂直部に対して近接又は離間させる移動装置と
からなることを特徴とする浴槽用手摺り。
【請求項２】
前記移動装置は、前記引込み操作部を前記垂直部に対して離間させることにより、前記連結部を介して前記引込み部を前記垂直部に対して近接させ、そして前記引込み操作部を前記垂直部に対して近接させることにより、前記連結部を介して前記引込み部を前記垂直部に対して離間させるものであることを特徴とする請求項１に記載の浴槽用手摺り。
【請求項３】
前記移動装置が前記垂直部に連結されることにより、前記可動フレームは前記固定フレームから脱離しないことを特徴とする請求項１又は２に記載の浴槽用手摺り。
【請求項４】
前記移動装置は、前記引込み操作部に連結されたナットと、前記ナットと螺合しているボルト軸と、そして前記ナット又は前記ボルト軸を回動させるハンドルノブとを含んでいることを特徴とする請求項１ないし３のいずれか１項に記載の浴槽用手摺り。
【請求項５】
前記ナットは前記引込み操作部に回動可能に連結されており、そして前記ボルト軸は前記垂直部に回動不能に連結されていることを特徴とする請求項４に記載の浴槽用手摺り。
【請求項６】
前記ハンドルノブは、前記ナットを回動させることにより後退した前記ボルト軸を前記ハンドルノブの内部に収容する収納室を有していることを特徴とする請求項５に記載の浴槽用手摺り。
【請求項７】
所定の力未満では、前記ハンドルノブから前記ナットへ回動力を伝達し、そして所定の力以上では、前記ハンドルノブから前記ナットへの回動力の伝達を遮断するトルク伝達・遮断手段をさらに備えていることを特徴とする請求項５又は６に記載の浴槽用手摺り。
【請求項８】
前記引込み部と前記引込み操作部との間の離間距離は調節可能であることを特徴とする請求項１ないし７のいずれか１項に記載の浴槽用手摺り。
【請求項９】
前記垂直部は、前記垂直部に首振り可能に取り付けられており且つ前記浴槽側壁に当接する当接板を備えていることを特徴とする請求項１ないし８のいずれか１項に記載の浴槽用手摺り。
【請求項１０】
前記引込み部は、前記引込み部に首振り可能に取り付けられており且つ前記浴槽側壁に当接する引き圧板を備えていることを特徴とする請求項１ないし８のいずれか１項に記載の浴槽用手摺り。
【請求項１１】
前記引き圧板の圧力作用点は、前記引き圧板の圧力作用点と前記水平部底面との間の距離が前記当接板の圧力作用点と前記水平部底面との間の距離よりも長くなるように、前記当接板の圧力作用点の位置に対してオフセットされていることを特徴とする請求項１０に記載の浴槽用手摺り。
【請求項１２】
前記垂直部には、手摺り部と、そして端部が床面と当接する脚部とが取り付けられていることを特徴とする請求項１ないし１１のいずれか１項に記載の浴槽用手摺り。
【請求項１３】
前記連結部は前記水平部の上側に配置され、且つ前記可動フレームは前記固定フレームに対して首振り可能に取り付けられていることを特徴とする請求項１ないし１２のいずれか１項に記載の浴槽用手摺り。
【発明の詳細な説明】
【技術分野】
【０００１】
本発明は、浴槽側壁の側面と上面に当接するように配置される固定フレームと、該固定フレーム上で該固定フレーム側へ引き込み可能に取り付けられる可動フレームとを備えた浴槽用手摺りに関し、特に可動フレームを下向きコの字型の形状とすることにより、可動フレームを引き込むための移動装置を浴槽側壁の側面に対向して配置される固定フレームと可動フレームの縦部分に取り付けたことを特徴とする浴槽用手摺りに関する。
【０００２】
このため、本発明の浴槽用手摺りは、可動フレームを固定フレーム側へ引き込むタイプであるにも関わらず、浴槽側壁の上面に配置される部分の固定フレームと可動フレームの厚みを極めて薄くすることができ、そして可動フレームの引き込み操作によっても、固定フレームと浴槽側壁の上面の間に位置ズレや位置ズレによる摩擦力を生じることがないという特徴を有している。
【背景技術】
【０００３】
従来より、高齢者等が浴槽に出入りする際に身体を容易に支持することができるように、浴槽の側壁を洗い場側及び浴槽側からクランプすることによって着脱自在に取り付けられる浴槽用手摺りが提供されている。浴槽用手摺りは、身体の不自由な使用者が自己の体重を預けるものであるので、浴槽側壁の所望する位置へできるだけ正確に且つ強固に取り付けられなければならない。
【０００４】
例えば、特開２０１０−２４６６９１号公報（特許文献１）やＷＯ２０１３−１５７０７８号国際公報（特許文献２）に記載されている浴槽用手摺りは、浴槽側壁に押し込まれる押圧板を備えており且つ浴槽側壁の上に直置きされる本体フレームと、本体フレームの上に取り付けられる可動フレームとから構成されている。そして特許文献１，２に記載された浴槽用手摺りは、本体フレームと可動フレームにて浴槽側壁を挟むようにして本体フレームを浴槽側壁の上に直置きした後、本体フレームに取り付けられた押圧板を浴槽側壁へ押し込むことにより、該浴槽側壁へ強固に取り付けるというものである。
【０００５】
特許文献１，２に記載の浴槽用手摺りでは、浴槽側壁に当接させた押圧板を押し込むと、浴槽側壁の上に直置きされた本体フレームが押圧板を介して浴槽側壁に対して相対的に移動するため、本体フレームと浴槽側壁の上面との間に摩擦力を生じることになる。このため、特許文献１，２に記載された浴槽用手摺りでは、押圧板を押し込んでも本体フレームが円滑に移動することができず、不十分な移動により、本体フレームと浴槽側壁の上面との間には摩擦力（残留応力）が蓄積されるため、浴槽用手摺りや浴槽側壁を変形させたり、或いは意図しない摩擦力（残留応力）の解放により、本体フレームと浴槽側壁の上面との間にさらなる位置ズレを発生させたりして浴槽側壁への取り付け状態を不安定にするという本質的な問題があった。
【０００６】
また、特許文献１，２に記載の浴槽用手摺りでは、押圧板を押し込むと、本体フレームに取り付けられた手摺り（特に上部グリップ）も浴槽側壁から相対的に離間してしまうため、手摺りを、当初本体フレームが浴槽側壁上に仮置きされた所望の位置へ、そのまま取り付けることができないという問題もあった。
【０００７】
一方、上記の問題を解決した浴槽用手摺りとしては、浴槽側壁を押し込む押圧板を本体フレームの上に取り付けられた可動フレーム側に設けることにより、浴槽側壁の上に直置きされた本体フレームには位置ズレが生じないようにした特開２０００−１８９３３９号公報（特許文献３）や特開２００４−２６１３２７号公報（特許文献４）に記載の浴槽用手摺りが知られている。また、本体フレームの上に配置された可動フレームが浴槽側壁と当接するまで本体フレーム側に引き込まれるようにすることで、浴槽側壁の上に直置きされた本体フレームには位置ズレが生じないようにした実開平３−６０５９０号公報（特許文献５）や特開２００２−１４３０１７号公報（特許文献６）に記載の浴槽用手摺りも知られている。
【０００８】
しかしながら、特許文献３，４に記載された浴槽用手摺りの場合、ボルト軸やハンドルノブなど、可動フレームに取り付けられた押圧板を螺進退させるための移動装置が浴槽内部側へ突出するため、浴槽手摺りの使用者にとって危険であり邪魔となるという問題があった。
【０００９】
また、特許文献５，６に記載された浴槽用手摺りの場合、ボルト軸など、可動フレームを本体フレーム側に引き込むための移動装置が浴槽側壁の上面上に嵩高く配置されることになるため、浴槽用手摺りを取り付けた状態では浴槽に蓋をすることができなくなったり、蓋をしても大きな隙間を生じて浴温が低下してしまうという問題があった。
【先行技術文献】
【特許文献】
【００１０】
【特許文献１】特開２０１０−２４６６９１号公報
【特許文献２】ＷＯ２０１３−１５７０７８号国際公報
【特許文献３】特開２０００−１８９３３９号公報
【特許文献４】特開２００４−２６１３２７号公報
【特許文献５】実開平３−６０５９０号公報
【特許文献６】特開２００２−１４３０１７号公報
【発明の概要】
【発明が解決しようとする課題】
【００１１】
そこで、本発明は、浴槽側壁に着脱自在に取り付けられる浴槽用手摺りにおいて、その取り付け状態を安定化するため、浴槽側壁をクランプすることによって生じる、浴槽側壁の上面とその上に直接載置されるフレームとの間の位置ズレや摩擦力（残留応力）が防止されており、そして浴槽側壁への装着時においても、浴槽に蓋をする際などの邪魔とならないように浴槽側壁の上面に配置されるフレーム等が薄肉化されているコンパクトなクランプ構造を備えた浴槽用手摺りを提供することを目的とする。また併せて、取り付け前後において、浴槽側壁に対する本体フレームに取り付けられた手摺り（特に上部グリップ）の位置及びハンドルノブの位置が変化することがない浴槽用手摺りを提供することを目的とする。
【課題を解決するための手段】
【００１２】
本発明者等は、上記の目的を達成するため、浴槽側壁の上面に直接載置される固定フレームおよび該固定フレームの上に取り付けられる可動フレームの形状、固定フレームと可動フレームとの連結構造、固定フレームに対する可動フレームの相対位置を変化させるための移動装置の構造及びその取り付け位置などについて鋭意検討を重ねた。その結果、本発明者等は、浴槽用手摺りを、浴槽側壁の側面と上面に当接するように配置される固定フレームと、該固定フレーム上で該固定フレーム側へ引き込み可能に取り付けられる可動フレームとから構成し、可動フレームを下向きコの字型の形状とすることにより、可動フレームを引き込むための移動装置を浴槽側壁の側面に配置される固定フレームと可動フレームの縦部分に取り付けられるようにすることが最も効果的であることを見出し、本発明を完成させるに至った。
【００１３】
すなわち、本発明によれば、浴槽側壁の一の側面に対向するように配置される引込み部と、前記引込み部に対向するように配置される引込み操作部と、前記引込み部と前記引込み操作部とを連結する連結部とからなる可動フレームと、浴槽側壁の上面に対向するように配置される水平部と、前記水平部に連結しており且つ前記浴槽側壁の一の側面の反対側の他の側面に対向するように配置される垂直部とからなる固定フレームと、そして前記引込み操作部に連結されており且つ前記引込み操作部を前記垂直部に対して近接又は離間させる移動装置とからなることを特徴とする浴槽用手摺りが提供される。
【００１４】
本発明の浴槽用手摺りは、主として浴槽側壁の一方の側面と上面に当接するように直接載置される固定フレームと、浴槽側壁の他方の側面に対向するように配置される引込み部を備えており且つ固定フレームに対して移動可能に取り付けられる可動フレームと、そして可動フレームを固定フレームに対して進退可能に連結するため、固定フレームと可動フレームの縦部分（浴槽側壁の側面に配置される部分）に取り付けられる移動装置とから構成されている。
【００１５】
また、固定フレームは、浴槽側壁の上面と当接する水平部と、水平部と連結し且つ浴槽側壁の側面と当接する垂直部とを備えており、側面視において略下向きのＬ字型の形状を有している。一方、可動フレームは、浴槽側壁の側面に配置される引込み部と、引込み部に対向するように配置される引込み操作部と、そして引込み部と引込み操作部とを連結する連結部とを備えており、側面視において略下向きのコ字型の形状を有している。
【００１６】
このため、本発明の浴槽用手摺りでは、固定フレームは浴槽側壁の上面に直接載置され、可動フレームは浴槽側壁の上面に直接載置された固定フレームに対して進退するのみであるので、固定フレームは、可動フレームの引き込み操作によって浴槽側壁の上面との間に位置ズレや摩擦力（残留応力）を生じることなく、安定した状態で強固に取り付けることができる。また、本発明の浴槽用手摺りでは、固定フレームを浴槽側壁へ寄せて載置した後は、可動フレームの引込み部を浴槽側壁へ引き込んでも、固定フレーム及び該固定フレームに取り付けられた手摺り（特に上部グリップ）が浴槽側壁から移動して離れてしまうという問題がなく、その結果、上部グリップは洗い場側へ傾転され難い構造となっている。
【００１７】
本発明の浴槽用手摺りでは、連結部を介して可動フレームの引込み部を引き込むことによる浴槽側壁のクランプは、移動装置により、浴槽側壁を挟んで引込み部とは反対側に配置される引込み操作部を固定フレームの垂直部から離間させることにより行われる。別言すれば、可動フレームの移動装置は、引込み操作部を垂直部に対して離間させることにより、連結部を介して引込み部を垂直部に対して近接させ、そして引込み操作部を垂直部に対して近接させることにより、連結部を介して引込み部を垂直部に対して離間させるように機能する。
【００１８】
このため、本発明では、引込み操作部を介して、可動フレームを引き込むための移動装置を浴槽側壁の側面に配置することが可能となり、浴槽側壁の上面に配置される水平部や連結部に移動装置を配置する必要がなくなるので、特許文献５，６に記載されているような可動フレームを固定フレーム側へ引き込むタイプの浴槽用手摺りであるにも関わらず、浴槽側壁の上面に配置される水平部や連結部の構造を単純化して、その厚みを極めて薄くすることができる。そのため、本発明の浴槽用手摺りは、浴槽側壁へ取り付けた場合においても、可動フレームや固定フレームが浴槽側壁と蓋との間に浴温が低下させるような隙間等を生じさせることがなく、高い密閉性を有する該蓋の浴槽への取り付けを可能にする。
【００１９】
本発明の移動装置は、可動フレームの引込み操作部を固定フレームの垂直部に対して近接させる場合、引込み操作部を垂直部から引き込むことによって離間させるものであっても、或いは垂直部を引込み操作部から押し込むことによって離間させるものであってもよく、そしてその離間状態を保持できるものであることが好ましい。また、移動装置は、少なくとも可動フレームの引込み操作部と連結されていれば、必ずしも固定フレームの垂直部と連結されている必要はない。
【００２０】
例えば移動装置がボルト軸及びナットから構成されている場合は、ナットが少なくとも可動フレームの引込み操作部に取り付けられていれば、ボルト軸の先端部分が垂直部に連結されていなくも、ボルト軸を進行させてその先端部分を垂直部へ押し込めば垂直部を引込み操作部から離間させることができ、そしてボルト軸を後退させれば、ボルト軸による引込み操作部と垂直部との間の緊張状態（突っ張り状態）が解放されて、垂直部が引込み操作部側へ復帰する（近接する）からである。
【００２１】
また、例えば移動装置が回動レバーを備えた偏心カムによって構成されている場合は、偏心カムが少なくとも可動フレームの引込み操作部に取り付けられていれば、偏心カムが垂直部に連結されていなくも、偏心カムを回転させてその肉厚部分を垂直部へ押し付ければ垂直部を引込み操作部から離間させることができ、そして偏心カムを回転させてその薄肉部分が垂直部に当接するように戻せば、偏心カムによる引込み操作部と垂直部との間の緊張状態（突っ張り状態）が解放されて、垂直部が引込み操作部側へ復帰する（近接する）からである。
【００２２】
本発明の浴槽用手摺りでは、連結部が水平部の上側に配置されている場合、可動フレームは固定フレームに対して首振り可能に取り付けられていてもよい。可動フレームが固定フレームに対して首振り可能に取り付けられていると、さらに引き圧板を首振り可能に可動フレームに取り付けたり、或いは当接板を首振り可能に固定フレームに取り付けたりすることなく、クランプ部分を湾曲して厚みが一定でない浴槽側壁に対して追従させて、浴槽用手摺り本体を浴槽側壁に強固に取り付けることができるようになる。
【００２３】
また、可動フレームが首振り可能であると、上述の引き圧板や当接板を省略したり、或いは引き圧板や当接板を設けるとしてもそれらの首振り角度を小さくできるので、固定フレームや可動フレームの大きさ又は浴槽用手摺り本体の大きさをコンパクトにできるというメリットがある。
【００２４】
可動フレームを固定フレームに対して首振り可能に取り付ける構造は特に限定されるものではないが、例えば可動フレームの連結部又は固定フレームの水平部にスリットを設け、そして該スリットを利用して連結部と水平部とをビス止めすることにより実現することができる。また、例えば移動装置がボルト軸及びナットから構成されている場合は、ナットを可動フレームの引込み操作部へ首振り可能に取り付け、及び／又はボルト軸の先端部分を固定フレームの垂直部へ首振り可能に取り付けることによって実現することができる。
【００２５】
特にナットを可動フレームの引込み操作部に取り付け、ボルト軸の先端部分を固定フレームの垂直部に取り付けるなど、移動装置を引込み操作部だけでなく垂直部にも連結させると、可動フレームは移動装置を介して固定フレームと連結されるので、固定フレームから不用意に脱離することがなくなり持ち運び等に便利になる。
【００２６】
本発明で用いられる移動装置は、引込み操作部に連結されたナットと、ナットと螺合しているボルト軸と、そしてナット又はボルト軸を回動させるハンドルノブとを含んでいることが好ましい。この場合、ボルト軸は、ナットを回転させて螺進退させるものであっても、或いはボルト軸自体を回転させて螺進退させるものであってもよい。また、ボルト軸は、垂直部に対して首振り可能に連結されていてもよい。
【００２７】
移動装置がナット及びボルト軸によって構成されていると、ボルト軸の螺進退により、引込み操作部を垂直部に対して容易に近接又は離間させることができ、さらにその状態も確実に保持することができる。また、ボルト軸が垂直部に対して首振り可能に連結されていると、可動フレームを固定フレームに対して首振り可能に固定することができる。
【００２８】
上述したように、本発明で用いられる移動装置がナット及びボルト軸によって構成されている場合、ナットは引込み操作部と回動可能に連結し、そしてボルト軸は垂直部と回動不能に連結することができる。この態様の場合、ボルト軸は、引込み操作部に取り付けられたナットを回転することにより螺進退されるため、ナットを回転するためのハンドルノブの位置は引込み操作部に対して不変であり、浴槽用手摺りから突出する危険部位を減らすことができる。
【００２９】
このため、ハンドルノブは、その内部に、ナットを回動することにより後退させたボルト軸を収容するための収納室を有していることが好ましく、この場合、ハンドルノブはボルト軸から使用者を保護する保護カバーとしても機能する。
【００３０】
上述したように、本発明で用いられる移動装置がナットを回転することによりボルト軸を螺進退させるものである場合、所定の力未満では、ハンドルノブからナットへ回動力を伝達し、そして所定の力以上では、ハンドルノブからナットへの回動力の伝達を遮断するトルク伝達・遮断手段を備えていることが好ましい。
【００３１】
移動装置がトルク伝達・遮断手段を備えていると、使用者がハンドルノブを回して引き込み部を垂直部へ向けて強力に引き込んでも浴槽側壁を破損することなく、必要にして十分な引き圧力（クランプ力）をもって本発明の浴槽用手摺りを浴槽側壁へ取り付けることができる。
【００３２】
本発明で用いられる移動装置がナット及びボルト軸によって構成されている場合、他の態様として、ボルト軸は垂直部と回動可能に連結し、そしてナットは引込み操作部と回動不能に連結することができる。この態様の場合、螺進退させるボルト軸はハンドルノブによって直接回転されることになるので、移動装置の構造を極めて単純化することができ、移動装置の信頼性を向上させることができる。
【００３３】
上述したように、本発明で用いられる移動装置がボルト軸自体を回転することにより該ボルト軸を螺進退させるものである場合、所定の力未満では、ハンドルノブからボルト軸へ回動力を伝達し、そして所定の力以上では、ハンドルノブからボルト軸への回動力の伝達を遮断するトルク伝達手段を備えていることが好ましい。
【００３４】
移動装置がトルク伝達・遮断手段を備えていると、使用者がハンドルノブを回して引き込み部を垂直部へ向けて強力に引き込んでも浴槽側壁を破損することなく、必要にして十分な引き圧力（クランプ力）をもって本発明の浴槽用手摺りを浴槽側壁へ取り付けることができる。
【００３５】
ナット及びボルト軸とは異なる他の態様の移動装置としては、引込み操作部に回動可能に支承されている偏心カムであって、その回動により引込み操作部と垂直部との間の距離を変化させる偏心カムと、そして偏心カムを回動させる回動レバーとを含むことができる。また、偏心カムの最大偏心量の調節を可能にするためには、例えば偏心カムの当接面と固定フレームの垂直部との間に、厚みが連続的に変化するテーパー面を有するスペーサーを装着できるようにすればよい。
【００３６】
移動装置が偏心カムによって構成されていると、偏心カムの回動操作により、引込み操作部を垂直部に対してワンタッチで近接又は離間させることができ、さらにその状態も確実に保持することができる。また、偏心カムを引込み操作部に取り付けておけば、偏心カムの当接面は垂直部と連結させる必要がないので、移動装置の構造を極めて単純化することができ、移動装置の信頼性を向上させることができると共に、ナット及びボルト軸方式比べて浴槽用手摺りから突出する危険部位も実質的に無くすることができる。
【００３７】
本発明の浴槽用手摺りでは、可動フレームにおける引込み部と引込み操作部との間の離間距離は調節可能であることが好ましい。引込み部と引込み操作部との離間距離の調節は、例えば可動フレームを、引込み部と連結部の一部からなる第１の下向きＬ字形フレームと、引込み操作部と連結部の一部からなる第２の下向きＬ字形フレームとから構成し、第１及び第２の下向きＬ字形フレームの連結部同士の連結位置を調整することにより実現することができる。また、例えば連結部に対して、引込み部及び／又は引込み操作部の取り付け位置を可変とすることによっても実現することができる。
【００３８】
引込み部と引込み操作部との間の離間距離を調節可能にしておくと、引込み部と引込み操作部との離間距離を予め浴槽側壁の厚みに合わせておくことにより、可動フレームを、浴槽側壁をクランプするのに必要にして最小の幅寸法としておくことができる。その結果、移動装置によるクランプ操作を少なくし、取り付け時間を短縮することができると共に、取り付けた後の浴槽用手摺りの浴槽側壁からのはみ出し部分も最小限に抑えることができる。
【００３９】
本発明の浴槽用手摺りでは、引込み部と垂直部によって浴槽側壁を直接クランプしてもよいが、引込み部に設けられており且つ浴槽側壁の一の側面に当接する引き圧板と、及び／又は垂直部に設けられており且つ浴槽側壁の他の側面に当接する当接板を介して浴槽側壁をクランプしてもよい。
【００４０】
引き圧板や当接板は、浴槽側壁との摩擦力を増大させるために樹脂や金属からなる平板、硬質／軟質ラバー又はそれらの組み合わせ部品から形成することができ、そして引込み部及び／又は垂直部の一体的な部位として構成することもできるし、或いは引込み部及び／又は垂直部から分離した別体の部品として構成することもできる。また、引き圧板や当接板を引込み部及び／又は垂直部とは別体の部品として構成した場合は、湾曲、傾斜等した浴槽側壁にスムーズに追従できるように、引き圧板や当接板を引込み部及び／又は垂直部に対して首振り可能に取り付けてもよい。
【００４１】
引込み部には引き圧板が設けられており、垂直部には当接板が設けられている場合、引き圧板の圧力作用点は、引き圧板の圧力作用点と水平部底面との間の距離が当接板の圧力作用点と水平部底面との間の距離よりも長くなるように、当接板の圧力作用点の位置に対してオフセットされていることが好ましい。別言すれば、引き圧板と当接板若しくは引き圧板の圧力作用点と当接板の圧力作用点とは正対して配置されている必要がなく、引き圧板や引き圧板の圧力作用点が当接板や当接板の圧力作用点よりも相対的に高い位置に配置されていればよい。例えば引き圧板の縦長さが当接板の縦長さよりも長いか、或いは当接板の縦長さが引き圧板の縦長さよりも短くてもよい。
【００４２】
引き圧板の圧力作用点と水平部底面との間の距離が当接板の圧力作用点と水平部底面との間の距離よりも長くなるように、引き圧板の圧力作用点が当接板の圧力作用点の位置に対してオフセットされていると、浴槽側壁が強度を有するリム部と強度を有さないエプロン部とへ分かれていても、垂直部の反作用により生じるクランプ力を強度を有するリム部へ的確に誘導することができるので、エプロン部などの脆弱な浴槽側壁部分を破損させることなく、浴槽用手摺りを浴槽側壁へ確実かつ強固に取り付けることができる。
【００４３】
また、上述のように引き圧板の圧力作用点が当接板の圧力作用点の位置に対してオフセットされていると、引き圧板の圧力作用点と当接板の圧力作用点との位置ズレにより、本発明の浴槽用手摺りは、例えば使用者が手摺り部を引き圧板側へ向けて倒そうとする力を与えても、転倒することなく使用者の力に対して強力に抗することができる。
【００４４】
一方、浴槽用手摺りには、固定フレーム及び可動フレームを当接板側へ向けて倒そうとする回転モーメントが生じるので、前記回転モーメントに対向するため、垂直部には端部が床面と当接する脚部を取り付けてもよい。また、使用者により付加される力も前記脚部を介して補助的に支えるため、手摺り部を脚部又は垂直部に取り付けてもよい。さらに、当接板を垂直部と一体となった一部の部位として構成したり、或いは当接板を垂直部に対して回動不能に取り付けた場合は、浴槽用手摺り取り付け後のぐら付きを大幅に軽減できるので、上述した床面と当接させるための脚部を安全性を犠牲にすることなく省略できるという効果がある。
【００４５】
ここで、引き圧板の圧力作用点とは、引き圧板を浴槽側壁若しくは当接板へ向けて引き込んだ時、引き圧板が浴槽側壁に対し作用する圧力の中心位置を意味し、一方、当接板の圧力作用点とは、引き圧板が浴槽側壁を引き圧（押圧）する力の反作用として当接板が浴槽側壁を押圧するので、その時の当接板が浴槽側壁に対し作用する圧力の中心位置を意味する。
【００４６】
また、引き圧板や当接板が平坦な面で構成されており且つ引き圧板や当接板の作用面全体へ一様に圧力が付加される場合は、一般に圧力作用点はその作用面の重心位置を意味する。しかしながら、引き圧板や当接板が支承軸によって引込み部や垂直部に支持されているような場合は、該支承軸の延長線上に圧力が集中する傾向にあるので、この場合の圧力作用点は、作用面上の支承軸の延長線上に位置する点を意味するものとして取り扱って差し支えない。
【００４７】
このため、引き圧板や当接板が支承軸によって引込み部や垂直部に支持されている場合、引き圧板の圧力作用点が当接板の圧力作用点の位置に対してオフセットされているとは、引き圧板を支持している支承軸が当接板を支持している支承軸の位置よりも相対的に低い位置に配置されているか、或いは当接板を支持している支承軸が引き圧板を支持している支承軸の位置よりも相対的に高い位置に配置されていることを意味する。
【発明の効果】
【００４８】
本発明の浴槽用手摺りでは、固定フレームは浴槽側壁の上面に直接載置され、可動フレームは浴槽側壁の上面に直接載置された固定フレームに対して進退するのみであるので、固定フレームは、可動フレームの引き込み操作によって浴槽側壁の上面との間に位置ズレや摩擦力（残留応力）を生じることなく、安定した状態で強固に取り付けることができる。また、本発明によれば、固定フレーム及び可動フレームによる浴槽側壁のクランプ前後において、固定フレームに取り付けられた手摺り部やハンドルノブの浴槽側壁に対する相対位置を変化させることなく、浴槽用手摺りを浴槽側壁へ取り付けることができる。
【００４９】
本発明の浴槽用手摺りでは、引込み操作部を介して、可動フレームを引き込むための移動装置を浴槽側壁の側面に配置することが可能となり、浴槽側壁の上面に配置される水平部や連結部に移動装置を配置する必要がなくなるので、浴槽側壁の上面に配置される水平部や連結部の構造を単純化して、その厚みを極めて薄くすることができる。そのため、本発明の浴槽用手摺りは、浴槽側壁へ取り付けた場合においても、可動フレームや固定フレームが浴槽側壁と蓋との間に浴温が低下させるような隙間等を生じさせることがなく、高い密閉性を有する該蓋の浴槽への取り付けを可能にする。
【００５０】
本発明の浴槽用手摺りによれば、引き圧板の圧力作用点と水平部底面との間の距離が当接板の圧力作用点と水平部底面との間の距離よりも長くなるように、引き圧板の圧力作用点が当接板の圧力作用点の位置に対してオフセットされているので、浴槽側壁が強度を有するリム部と強度を有さないエプロン部とへ分かれていても、垂直部の反作用により生じるクランプ力を強度を有するリム部へ的確に誘導することが可能となり、エプロン部などの脆弱な浴槽側壁部分を破損させることなく、浴槽用手摺りを浴槽側壁へ確実かつ強固に取り付けることができる。
【図面の簡単な説明】
【００５１】
【図１】本発明の浴槽用手摺りの全体概要図である。
【図２】図１に示される浴槽用手摺りの側面図である。
【図３ａ】当接板が固定式の図２に示される第１の態様の移動装置（トルク伝達・遮断手段）を有する浴槽用手摺りの断面図である。
【図３ｂ】当接板が首振り可能な図２に示される第１の態様の移動装置（トルク伝達・遮断手段）を有する浴槽用手摺りの断面図である。
【図４】図１に示される浴槽用手摺りの分解図である。
【図５】図４に示される、引込み操作部を有する側の可動フレームの分解図である。
【図６】図４に示される、引込み部を有する側の可動フレームの分解図である。
【図７ａ】ハンドルノブを可動フレームへ組み付ける態様を示す概要図である。
【図７ｂ】図７ａに示されるハンドルノブ周辺部分の分解図である。
【図８】第２の態様の移動装置（トルク伝達・遮断手段）を有する浴槽用手摺りの断面図である。
【図９】図８に示される浴槽用手摺りをＸ−Ｘ断面で切り取った断面図である。
【図１０】図８に示される、引込み操作部を有する側の可動フレームの分解図である。
【発明を実施するための形態】
【００５２】
以下、本発明の一実施形態に係る浴槽用手摺りについて、図面を参照しながら詳細に説明する。なお、本発明は、以下に示される実施例に限定されるものではなく、本発明の技術的思想を逸脱しない範囲内で各種の変更が可能である。
【００５３】
第１の実施形態
図１及び図２を用いて、本発明の第１の実施形態に係る浴槽用手摺り１の主な構成を説明する。図１には、本実施形態に係る浴槽用手摺り１の全体概要が示されており、図２には、図１に示された浴槽用手摺り１の側面図が示されており、さらに図３ａ，図３ｂには、図２に示される第１の態様の移動装置を有する浴槽用手摺り１の断面図が示されている。
【００５４】
図１，２に示されているように、本実施形態の浴槽用手摺り１は、主として、上部グリップ９０と脚部９１が取り付けられており側面視において下向きに略Ｌ字型の固定フレーム２と、側部グリップ９２が取り付けられており側面視において下向きに略コの字型の可動フレーム３と、可動フレーム３を固定フレーム２に対して近接又は離間させるための移動装置４とから構成されている。なお、図１に示されている本実施形態の浴槽用手摺り１の構成は、移動装置以外、基本的に後述する第２の実施形態に係る浴槽用手摺り１ａの構成と同じである。
【００５５】
固定フレーム２は、浴槽側壁の上面に対向するように配置される水平部２１と、水平部２１に連結しており且つ浴槽側壁の側面に対向するように配置される垂直部２０とから構成されており、浴槽側壁の側面と上面に当接するように直接載置される。
【００５６】
可動フレーム３は、浴槽側壁の側面に対向するように配置される引込み部３０と、引込み部３０に対向するように配置される引込み操作部３１と、引込み部３０と引込み操作部３１とを連結する連結部３２とから構成されており、固定フレーム２に対して移動可能に取り付けられる。
【００５７】
移動装置４は、固定フレーム２の垂直部２０と可動フレーム３の引込み部３０とへ連結されており、可動フレーム３を固定フレーム２に対して進退可能に移動させる。
【００５８】
また、図２、図３ａに示されているように、固定フレーム２の内側には、浴槽側壁に当接させるための当接板２２ａが回動不能に取り付けられており、可動フレーム３の内側には、当接板２２ａとは反対側の浴槽側壁に当接させるための引き圧板３３が首振り可能に取り付けられている。なお、当接板２２ｂは、図３ｂに示されているように、固定フレーム２の内側に首振り可能に取り付けられていてもよい。
【００５９】
このように、本実施形態の浴槽用手摺り１では、固定フレーム２は浴槽側壁の上面に直接載置され、可動フレーム３は固定フレーム２の上で進退するのみである。このため、本実施形態の浴槽用手摺り１は、移動装置４による可動フレーム３の引き込み操作によって固定フレーム２と浴槽側壁の上面との間に位置ズレや摩擦力（残留応力）を生じさせることなく、安定した状態で強固に取り付けることができる。
【００６０】
本実施形態の浴槽用手摺り１では、浴槽側壁のクランプは、移動装置４により、可動フレーム３の引込み部３０及び引き圧板３３を固定フレーム２に対して引き込むことにより行われる。このため、移動装置４は、浴槽側壁をクランプする時は、可動フレーム３の引込み操作部３１を固定フレーム２の垂直部２０に対して離間させることにより、可動フレーム３の連結部３２を介して引込み部３０及び引き圧板３３を垂直部２０及び当接板２２ａ，２２ｂに近接させるように機能し、そして浴槽側壁のクランプを解放する時は、引込み操作部３１を垂直部２０に対して近接させることにより、連結部３２を介して引込み部３０及び引き圧板３３を垂直部２０及び当接板２２ａ，２２ｂから離間させるように機能する（図３ａ，図３ｂ参照）。
【００６１】
このため、本実施形態では、可動フレーム３を引き込むための移動装置４は、引込み操作部３１を介して浴槽側壁の側面に配置することが可能となり、浴槽側壁の上面に配置される水平部２１や連結部３２に設ける必要がなくなるので、特許文献５，６に記載されているような可動フレームを固定フレーム側へ引き込むタイプの浴槽用手摺りであるにも関わらず、浴槽側壁の上面に配置される水平部２１や連結部３２の構造を単純化することができ、水平部２１や連結部３２の厚みを極めて薄くすることができる。その結果、本実施形態の浴槽用手摺り１は、浴槽側壁へ取り付けた場合においても、可動フレーム３や固定フレーム２が浴槽側壁と蓋との間に浴温が低下させるような隙間等を生じさせることがなく、高い密閉性を有する該蓋の浴槽への取り付けを可能にする。
【００６２】
図４には、図１に示される浴槽用手摺り１の分解図が示されており、図５には、図４に示される可動フレーム３のうち、引込み操作部３１を有する側の第１の可動フレーム３ｘの分解図が示されており、そして図６には、引込み部３０を有する側の第２の可動フレーム３ｙの分解図が示されている。
【００６３】
本実施形態では、可動フレーム３は、引込み部３０と引込み操作部３１との間の離間距離を調節できるように、下向きに略Ｌ字型の第１の可動フレーム３ｘ（図５）と、第１の可動フレーム３ｘとは分離独立している、下向きに略Ｌ字型の第２の可動フレーム３ｙ（図６）とから構成されており、第１の可動フレーム３ｘと第２の可動フレーム３ｙとはそれぞれの連結部３２ｘ，３２ｙを介して連結されている。また、図示しないが、引込み部３０と引込み操作部３１との間の離間距離の調節可能化は、例えば連結部３２に対して引込み部３０及び／又は引込み操作部３１を分離独立した部品として構成し、連結部３２に対して取り付け位置を変更できるようにすることによっても達成することができる。
【００６４】
引込み部３０と引込み操作部３１との間の離間距離を調節可能にしておくと、引込み部３０と引込み操作部３１との離間距離を予め浴槽側壁の厚みに合わせておくことにより、可動フレーム３を、浴槽側壁をクランプするのに必要にして最小の幅寸法としておくことができる。そのため、移動装置４によるクランプ操作を少なくし取付け時間を短縮することができると共に、取り付けた後の可動フレーム３の浴槽側壁からのはみ出し部分も最小限に抑えることができるようになる。
【００６５】
図示しないが、本実施形態の浴槽用手摺り１のように、連結部３２が水平部２１の上側に配置されている場合、可動フレーム３は固定フレーム２に対して水平方向の連結角度を変えられるように首振り可能に取り付けてもよい。可動フレーム３を固定フレーム２に対して首振り可能に取り付けると、可動フレーム３及び固定フレーム２のクランプ部分が湾曲して厚みが一定でない浴槽側壁に対してスムーズに追従し、浴槽用手摺り本体を浴槽側壁に強固に取り付けることができるようになる。
【００６６】
また、可動フレーム３自体を首振り可能に取り付けると、同じ湾曲して厚みが一定でない浴槽側壁に対しても、引き圧板３３や当接板２２ｂが分担すべき首振り角度が小さくなるので、固定フレーム２や可動フレーム３の大きさ又は浴槽用手摺り本体の大きさをコンパクトにできる。
【００６７】
本実施形態では、図５に示されているように第１の可動フレーム３ｘは片状体であって、略垂直に配置される引込み操作部３１と、引込み操作部３１と連結し且つ略水平に配置される第１の連結部３２ｘを含んでいる。引込み操作部３１には、移動装置４を取り付けるための円形の開口３１０が設けられており、第１の連結部３２ｘには、第２の可動フレーム３ｙの第２の連結部３２ｙをスライド可能に取り付けるための２つのネジ穴３２０とスリット状の長穴３２１とが設けられている。
【００６８】
図６に示されているように、第２の可動フレーム３ｙも片状体であって、略垂直に配置される引込み部３０と、引込み部３０と連結し且つ略水平に配置される第２の連結部３２ｙを含んでいる。引込み部３０の外側には側部グリップ９２がネジ止めされており、引込み部３０の内側には２つの引き圧板２３が首振り可能に取り付けられている。また、第２の連結部３２ｙには、第１の連結部３２ｘのネジ穴３２０と整列させて、ネジによりネジ止めするための２つの平行に並んだ係止溝付きスリット３２２と、第１の連結部３２ｘの長穴３２１と整列させて、任意の位置でネジによりネジ止めするための切込み３２３とが設けられている。
【００６９】
第２の連結部３２ｙの係止溝付きスリット３２２のそれぞれには、スリットから横方向へ突出した３つの係止溝３２４が形成されている。このため、第１の連結部３２ｘのネジ穴３２０に固定されたネジ（図示せず）の胴部が係止溝３２４以外のスリットの中に配置されている時は、第２の可動フレーム３ｙの第２の連結部３２ｙは、第１の可動フレーム３ｘの第１の連結部３２ｘに対して円滑にスライド移動させることができる。一方、第１の連結部３２ｘのネジ穴３２０に固定されたネジの胴部が係止溝３２４の中に係止されている時は、第２の可動フレーム３ｙの第２の連結部３２ｙは、第１の可動フレーム３ｘの第１の連結部３２ｘに対してスライドさせることができず、ネジを締めることにより強固に固定される。
【００７０】
また、第２の可動フレーム３ｙは、第１の連結部３２ｘの長穴３２１と第２の連結部３２ｙの切込み３２３とを整列させてネジによりネジ止めすることにより、３箇所で第１の可動フレーム３ｘへネジ止めすることができるので（図７ａ参照）、第２の可動フレーム３ｙが第１の可動フレーム３ｘに対して水平方向へ回転してしまうのを強力に防止することができる。
【００７１】
固定フレーム２の内側に取り付けられている当接板２２ａ，２２ｂ（図３ａ，図３ｂ）は、特に浴槽側壁の上部のリム部を的確に押圧し、グリップ力を高めるために設けられている。そのため、当接板２２ａ，２２ｂは、固定フレーム２の水平部２１に隣接して配置されており、その表面には滑り止めラバーが装着されている。当接板２２ａ（図３ａ）は、浴槽側壁（特にリム部）を強力に押圧できることを重視して、固定フレーム２の内側に固定されているのに対して、当接板２２ｂ（図３ｂ）は、湾曲、傾斜等した浴槽側壁の形状に柔軟に追従できることを重視して、固定フレーム２の内側に首振り可能に取り付けられている。特に当接板２２ａを図３ａに示されているように固定フレーム２に対して回動不能に取り付けた場合は、浴槽用手摺り１取り付け後のぐら付きを大幅に軽減することができるので、後述する、床面と当接させるための脚部９１を安全性を犠牲にすることなく省略することができる。
【００７２】
可動フレーム３の内側に取り付けられている引き圧板３３（図６）は、特に浴槽内の壁面を的確に押圧し、グリップ力を高めるために設けられている。そのため、引き圧板３３の縦方向の長さは、当接板２２ａ，２２ｂの縦方向の長さよりも相対的に長く、その表面には滑り止めラバー３４が装着されている。また、引き圧板３３は、湾曲、傾斜等した浴槽側壁の形状に柔軟に追従できることを重視して固定フレーム２の内側に首振り可能に取り付けられているが、当接板２２ａのように、可動フレーム３の内側に首振り不能に固定されていてもよい。また、引き圧板３３の個数も１つであっても、図示されているように２つ以上であってもよく、さらに、引き圧板３３を２つ以上取り付ける場合は、一部を首振り可能とし一部を固定式としてもよい。これらの引き圧板の構成は、上述した当接板の構成にも適用することができる。
【００７３】
図６を参照して理解されるように、２つの引き圧板３３はそれぞれに固定ピンにより連結プレート３５へ軸支されており、連結プレート３５は固定ピンにより第２の可動フレーム３ｙの引込み部３０へ軸支されている。各固定ピンを用いた２つの引き圧板３３の固定および連結プレート３５の固定には遊びが設けられているので、２つの引き圧板３３はそれぞれに連結プレート３５に対して首を振ることが可能であり、そして連結プレート３５も引込み部３０に対して首を振ることができる。
【００７４】
引き圧板３３や当接板２２ａ，２２ｂは、浴槽側壁との摩擦力を増大させるために樹脂や金属からなる平板、硬質／軟質ラバー又はそれらの組み合わせ部品から形成することができ、そして引込み部３０及び／又は垂直部２０の一体的な部位として構成してもよいし、或いは本実施形態のように引込み部３０及び／又は垂直部２０から分離した別体の部品として構成してもよい。また、引き圧板３３や当接板２２ａ，２２ｂを引込み部３０及び／又は垂直部２０とは別体の部品として構成した場合は、上述したように、湾曲、傾斜等した浴槽側壁にスムーズに追従できるように、引き圧板３３や当接板２２ｂを引込み部３０及び／又は垂直部２０に対して首振り可能に取り付けてもよい。
【００７５】
図３ａ，図３ｂ及び後述する図８に示されているように、本実施形態では、引き圧板３３の圧力作用点３３０は、引き圧板３３の圧力作用点３３０と水平部底面２１０との間の距離Ｌ３が当接板２２ａ，２２ｂの圧力作用点２２０と水平部底面２１０との間の距離Ｌ２よりも長くなるように、当接板２２ａ，２２ｂの圧力作用点２２０の位置に対してオフセットされているという特徴を有している。
【００７６】
別言すれば、本実施形態では、引き圧板３３と当接板２２ａ，２２ｂ若しくは引き圧板３３の圧力作用点３３０と当接板２２ａ，２２ｂの圧力作用点２２０とは正対して配置されておらず、引き圧板３３や引き圧板３３の圧力作用点３３０が当接板２２ａ，２２ｂや当接板２２ａ，２２ｂの圧力作用点２２０よりも相対的に高い位置に配置されている。このため、本実施形態では、引き圧板３３の縦長さは当接板２２ａ，２２ｂの縦長さよりも長く、逆に言えば、当接板２２ａ，２２ｂの縦長さは引き圧板２２ａ，２２ｂの縦長さよりも短くなっている。
【００７７】
引き圧板３３の圧力作用点３３０と水平部底面２１０との間の距離Ｌ３が当接板２２ａ，２２ｂの圧力作用点２２０と水平部底面２１０との間の距離Ｌ２よりも長くなるように、引き圧板３３の圧力作用点３３０が当接板２２ａ，２２ｂの圧力作用点２２０の位置に対してオフセットされていると、浴槽側壁が強度を有するリム部と強度を有さないエプロン部とへ分かれていても、垂直部２０から伝達されるクランプ力を当接板２２ａ，２２ｂを介して強度を有するリム部へ的確に誘導することができるので、エプロン部などの脆弱な浴槽側壁部分を破損させることなく、浴槽用手摺り１を浴槽側壁へ確実かつ強固に取り付けることができる。
【００７８】
また、引き圧板３３の圧力作用点３３０が当接板２２ａ，２２ｂの圧力作用点２２０の位置に対してオフセットされていると、引き圧板３３の圧力作用点３３０と当接板２２ａ，２２ｂの圧力作用点２２０との位置ズレにより、本実施形態の浴槽用手摺り１は、例えば使用者が上部グリップ９０を引き圧板３３側へ向けて倒そうとする力を与えても、転倒することなく使用者の力に対して強力に抗することができる。
【００７９】
なお、引き圧板３３の圧力作用点３３０とは、引き圧板３３を浴槽側壁若しくは当接板２２ａ，２２ｂへ向けて引き込んだ時、引き圧板３３が浴槽側壁に対し作用する圧力の中心位置を意味し、一方、当接板２２ａ，２２ｂの圧力作用点２２０とは、引き圧板３３が浴槽側壁を引き圧（押圧）する力の反作用として当接板２２ａ，２２ｂは浴槽側壁を押圧するので、その時の当接板２２ａ，２２ｂが浴槽側壁に対し作用する圧力の中心位置を意味する。
【００８０】
例えば、図３ｂに示される浴槽用手摺り１の場合、引き圧板３３及び当接板２２ｂは、平坦な面にて作用面全体へ一様に圧力が付加されるように構成されており、そして引き圧板３３は引き圧板固定ピンによって引込み部３０に支持されており、当接板２２ｂは当接板固定ピンによって垂直部２０に支持されている。このため、引き圧板３３の圧力作用点３３０は、引き圧板固定ピンの延長線上の作用面に存在するものと考えられ、当接板２２ｂの圧力作用点２２０は、当接板固定ピンの延長線上の作用面に存在するものと考えられる。一方、図３ａに示される浴槽用手摺り１の場合、当接板２２ａは、平坦な面にて作用面全体へ一様に圧力が付加されるように構成されており、そして当接板２２ａ全体が固定フレーム２の内側に固定されている。このため、当接板２２ａの圧力作用点２２０は、その作用面の中心である重心位置付近に存在するものと考えられる。
【００８１】
このため、図３ｂに示される浴槽用手摺り１の場合、引き圧板３３の圧力作用点３３０が当接板２２ｂの圧力作用点２２０の位置に対してオフセットされているとは、引き圧板３３を支持している引き圧板固定ピンが当接板２２ｂを支持している当接板固定ピンの位置よりも相対的に低い位置に配置されている態様、或いは当接板２２ｂを支持している当接板固定ピンが引き圧板３３を支持している引き圧板固定ピンの位置よりも相対的に高い位置に配置されている態様を意味していることと略同一視することができる。
【００８２】
本実施形態の移動装置４は、図３ａ，図３ｂ及び図５によく示されているように、引込み操作部３１に取り付けられたナット４１と、ナット４１と螺合しているボルト軸４０と、そしてナット４１を回転させるためのハンドルノブ４２とを含んでいる。ナット４１は引込み操作部３１の開口３１０に回動可能に連結されており、そしてボルト軸４０の先端部分は垂直部２０の取付穴２００に対して回動不能に取り付けられている。
【００８３】
移動装置４をナット４１及びボルト軸４０によって構成すると、ボルト軸４０の螺進退により、引込み操作部３１を垂直部２０に対して容易に近接又は離間させることができ、さらにその状態も確実に保持することができる。また、図示しないが、ボルト軸４０を垂直部２０に対して首振り可能に連結すると、上述したように可動フレーム３を固定フレーム２に対して首振り可能に固定することができる。
【００８４】
さらに、本実施形態の場合、ボルト軸４０は、引込み操作部３１に取り付けられたナット４１を回転することにより螺進退されるため、ナット４１を回転するためのハンドルノブ４２の位置は引込み操作部３１に対して不変であり、浴槽用手摺り１から突出する危険部位を減らすことができる。このため、ハンドルノブ４２には、その内部に、ナット４１を回転させることにより後退させたボルト軸４０の後端部分を収容するための収納室４２０が設けられており、ハンドルノブ４２はボルト軸４０から使用者を保護する保護カバーとしても機能する。
【００８５】
また、本実施形態では、ボルト軸４０の先端部分は固定フレーム２に回動不能に連結されており、該ボルト軸４０と螺合するナット４は可動フレーム３に回動自在に取り付けられている。このため、ハンドルノブ４２で可動フレーム３に取り付けられたナット４を回転すると、該ナット４と螺合したボルト軸４０が、可動フレーム３と固定フレーム２の相対位置を変化させ、そして該可動フレーム３に取り付けられた引き圧板３３が浴槽側壁へ向けて引き込まれる。
【００８６】
そのため、本実施形態の浴槽用手摺り１では、固定フレーム２を浴槽側壁へ当接させて載置した後は、引き圧板３３を浴槽側壁へ引き込んでも、固定フレーム２及び該本体フレーム２に取り付けられた上部グリップ９０（図１参照）が浴槽側壁から移動して離れてしまうという問題がなく、その結果、上部グリップ９０は洗い場側へ傾転され難い構造となっている。また、浴槽用手摺り１を固定するために、洗い場側から、固定フレームに対して近接離反する押圧板などを取り付ける必要もなくなる。
【００８７】
本実施形態の移動装置４には、ハンドルノブ４２とナット４１との間に、所定の力未満では、ハンドルノブ４２からナット４１へ回動力を伝達し、そして所定の力以上では、ハンドルノブ４２からナット４１への回動力の伝達を遮断するトルク伝達・遮断手段４３が組み込まれている。
【００８８】
移動装置４がトルク伝達・遮断手段４３が組み込まれていると、使用者がハンドルノブ４２を回して引き込み部３０を垂直部２０へ向けて強力に引き込んでも浴槽側壁を破損することなく、必要にして十分な引き圧力（クランプ力）をもって浴槽用手摺り１を浴槽側壁へ取り付けることができる。
【００８９】
本実施形態の浴槽用手摺り１では、ボルト軸４０の先端部分はフランジ４００を有する矩形形状に加工されており、固定フレーム２の垂直部２０には、ボルト軸４０の先端部分と嵌合する取付穴２００が設けられている。このため、ボルト軸４０の先端部分を垂直部２０の取付穴２００に挿通し、先端部分が露出した側から該取付穴２００より大きな外径を有する止めカバー４０１をネジ止めすることにより、ボルト軸４０の先端部分は固定フレーム２に回動不能に連結される。
【００９０】
一方、第１の可動フレーム３ｘの垂直部２０には開口３１０が設けられており、そしてナット４１は、引込み操作部３１の開口３１０へ挿通される胴部４１０と、胴部４１０に固着されており且つ一方の側から引込み操作部３１へ当接させるために開口３１０より大きな外径を有する第１のフランジ部４１１と、そして他方の側から引込み操作部３１へ当接させるために開口３１０より大きな外径を有し且つ胴部４１０へ着脱自在に取り付けられる第２のフランジ部４１２とを備えている。
【００９１】
このため、ナット４１は、胴部４１０が開口３１０へ挿通され、第１のフランジ部４１１とは反対側から第２のフランジ部４１２が装着されることにより、可動フレーム３へ回転自在に取り付けられる。また、第１のフランジ部４１１と引込み操作部３１との間及び第２のフランジ部４１２と引込み操作部３１との間には樹脂製のワッシャー４１３が挿入されており、ナット４１のガタ付きを抑え、可動フレーム３の引込み操作部３１に対するナット４１の回転が円滑になるようにされている。
【００９２】
図５に示されているように、本実施形態で使用されるトルク伝達・遮断手段４３は、ハンドルノブ４２の回転と同調し、且つハンドルノブ４２の回転軸に対して直交するトルク伝達面４３１を備えた伝達部４３０と、ナット４１の回転と同調し、且つトルク伝達面４３１に当接されるトルク伝受面４３３を備えた伝受部４３２とを有しており、そしてトルク伝達面４３１及びトルク伝受面４３３はそれぞれに、伝達される回動力が所定の値未満では、トルク伝達面４３１とトルク伝受面４３３とを相互に係止し、そして伝達される回動力が所定の値以上では、トルク伝達面４３１とトルク伝受面４３３との間で滑りを生じさせる傾斜面を備えた凹部または凸部を含んでいるという特徴を有している。
【００９３】
また、トルク伝達・遮断手段４３は、伝達部４３０がハンドルノブ４２の回転軸方向に移動可能に取り付けられており、そして移動可能に取り付けられた伝達部４３０を、伝達部４３０と対向する伝受部４３２へ向けて付勢する伝達部付勢手段４３４を備えている。また、伝達部付勢手段４３４の端部は、ネジ４３５によってナット４１の端部に装着されるストッパー４３６によって固定されている。
【００９４】
トルク伝達・遮断手段４３のトルク伝達面４３１の中心及びトルク伝受面４３３の中心は、ハンドルノブ４２及びナット４１の回転軸と同軸上に配置されている。またトルク伝達面４３１上及びトルク伝受面４３３上には、それぞれにトルク伝達面４３１又はトルク伝受面４３３から傾斜した斜面を含む凹部／凸部が形成されている。トルク伝達面４３１の傾斜面及びトルク伝受面４３３の傾斜面は、可動フレーム３の引き圧板３３を浴槽側壁へ向けて引き込むようにハンドルノブ４２を回す時、互いに対向する相手側の傾斜面を昇るように勾配が付けられている。
【００９５】
そして、トルク伝達面４３１を有する環状の伝達部４３０はハンドルノブ４２及びナット４１の回転軸に沿ってスライド可能に装着されており、且つ弾性体（伝達部付勢手段）４３４によってトルク伝受面４３３に向けて付勢されている。弾性体４３４は、コイルバネ、皿バネ、弾性樹脂材料など弾性変形可能なものであれば特に限定されることなく公知のものを使用することができる。
【００９６】
このため、トルク伝達面４３１の傾斜面とトルク伝受面４３３の傾斜面との間には常に一定の摩擦力が生じている。そしてハンドルノブ４２からナット４１へ伝達されるトルクが所定の値未満である時、トルク伝達面４３１の傾斜面はトルク伝受面４３３の傾斜面を乗り越えることができず、互いに噛み合った状態で係合している。そしてこの係合により、ハンドルノブ４２のトルクがナット４１へ伝達され、該ナット４１と螺合するボルト軸４０が可動フレーム３と固定フレーム２の相対位置を変化させ、そして該可動フレーム３に取り付けられた引き圧板３３を浴槽側壁へ向けて引き寄せる。
【００９７】
一方、ハンドルノブ４２からナット４１へ伝達されるトルクが所定の値以上になると、トルク伝達面４３１の傾斜面はトルク伝受面４３３の傾斜面との間に滑りが生じる。その結果、トルク伝達面４３１を備えた環状の伝達部４３０は弾性体４３４に抗して後退し、トルク伝達面４３１の傾斜面がトルク伝受面４３３の傾斜面を乗り越えることによって両者の係合が解除される。このため、この状態でハンドルノブ４２を回してもハンドルノブ４２はナット４１に対して空回りするのみであり、ハンドルノブ４２からナット４１へトルクが伝達されることはない。
【００９８】
また、トルク伝達面４３１の傾斜面の後端にはトルク伝達面４３１に略直交する垂直面が形成されており、トルク伝受面４３３の傾斜面の後端にはトルク伝受面４３３に略直交する垂直面が形成されている。トルク伝達面４３１の垂直面とトルク伝受面４３３の垂直面は、可動フレーム３の引き圧板３３を浴槽の側壁から離間させるようにハンドルノブ４３を回す時、互いに当接し係合する。そのため、ハンドルノブ４２を、引き圧板３３を浴槽の側壁から離間させるように回す時は、伝達されるトルクの大きさに拠らず、常にハンドルノブ４２とナット４１は同調して回転する。
【００９９】
このように、トルク伝達・遮断手段４３において、ナット４１の回転と同調して回動するトルク伝受面４３３は、ナット４１の外周面に取り付けられている。このため、トルク伝達・遮断手段４３は、ナット４１本体と一部重複して配置することができるので、トルク伝達・遮断手段４３及び該トルク伝達・遮断手段４３を備えたハンドルノブ４２の可動フレーム３からの突出長さを抑えることができる。
【０１００】
図７ａには、ハンドルノブ４２を可動フレーム３へ組み付ける態様を表した概要図が示されており、図７ｂには、図７ａに示されるハンドルノブ周辺部分の分解図が示されている。ハンドルノブ４２は、ノブ４２０と収納胴部４２１と回転フランジ４２２とを含んでいる。ハンドルノブ４２の引込み操作部３１への取り付けは、回転フランジを、回転フランジの外径よりも小さな内径であって、収納胴部４２１の外径と略同じ内径の半分に割れた固定口を有している上部ハンドルカバー４２３と下部ハンドルカバー４２４によって上下から挟み込み、そして上部ハンドルカバー４２３及び下部ハンドルカバー４２４を引込み操作部３１への取り付けることによって行われる。本実施形態では、見栄えを良くし且つ使用者の指先等を挟み込まないように、上部ハンドルカバー４２３及び下部ハンドルカバー４２４の上から化粧カバー４２５が取り付けられる。
【０１０１】
上述したハンドルノブ４２の引込み操作部３１への取り付けによれば、ハンドルノブ４２は、ナット４２やトルク伝達・遮断手段４３への取り付け態様に拠らず、軸方向へ移動することなく引込み操作部３１上の定位置において回転させことができる。
【０１０２】
図１，４を参照して、本実施形態の浴槽用手摺り１において、上部グリップ９０と脚部９１が取り付けられており、側面視において下向きに略Ｌ字型の固定フレーム２について説明する。
【０１０３】
本実施形態では、上部グリップ９０は、後述するスリーブ２０１の挿通孔２０２及びロックピン２０４と整列する複数のピン孔９０１を備えた２本の支持脚９００を有しており、固定フレーム２の垂直部２２は、該支持脚９００をスライド可能に受け入れるための２つのスリーブ２０１を備えている。また、それぞれのスリーブ２０１には挿通孔２０２が設けられており、該挿通孔２０２には、バネ２０３によりスリーブ２０１の内部へ向けて付勢されたロックピン２０４が取り付けられている。
【０１０４】
このため、本実施形態の浴槽用手摺り１では、バネ２０３の付勢に抗する方向へロックピン２０４のつまみ２０５を動かし、ロックピン２０４による支持脚９００の係止を解除することにより、上部グリップ９０は上下方向に簡単に高さ調節ができるようになる。一方、支持脚９００のピン孔９０１がスリーブ２０１の挿通孔２０２と整列した位置において、つまみ２０５を自由にすると、バネ２０３により、ロックピン２０４は挿通孔２０２を通ってピン孔９０１の中に挿入されるので、支持脚９００は簡単にスリーブ２０１の中に係止され、上部グリップ９０は固定フレーム２に固定される。
【０１０５】
また、本実施形態の浴槽用手摺り１では、固定フレーム２の垂直部２０には、長さ調節自在の脚部９１が取り付けられている。脚部９１は、その長さ調節により、先端部を洗い場の床面と当接させることができるので、浴槽用手摺り１の使用により、固定フレーム２や可動フレーム３に、固定フレーム２や可動フレーム３を当接板２２ａ，２２ｂ側へ向けて倒そうとする回転モーメントが働いても十分に対向することができ安全である。
【０１０６】
また、本実施形態では、脚部９１は１本であるので、固定フレーム２や可動フレーム３に、固定フレーム２や可動フレーム３を浴槽側壁の壁面に沿って倒そうとする回転モーメントが働いても、脚部が複数本配置されている時のように、一部の脚部に床面との間に隙間が生じてガタ付くようなことがない。なお、図示しないが、使用者により付加される力も脚部によって支えられるようにするため、上部グリップ９０の支持脚９００を脚部と直接連結させる構造としてもよい。
【０１０７】
以下に、本実施形態の浴槽用手摺り１の浴槽側壁への取り付け方法を簡単に説明する。本実施形態の浴槽用手摺り１では、先ず可動フレーム３の引込み部３０と引込み操作部３１との離間距離が浴槽の厚みに適合するように第１の可動フレーム３ｘと第２の可動フレーム３ｙとの連結状態を調節し固定する。
【０１０８】
次に、水平部を浴槽側壁の上面に直接載置し且つ垂直部２０の当接板２２ａ，２２ｂを浴槽側壁の側面に当接させた位置へ固定フレーム２を仮置きし、その状態にて脚部９１の先端部が洗い場の床面と当接するように脚部９１の長さを調節する。特に浴槽側壁がリム部とエプロン部を有している場合は、当接板２２ａ，２２ｂはリム部へ当接させるとよい。
【０１０９】
ハンドルノブ４２を回すことにより可動フレーム３の引込み部３０に取り付けられた引き圧板３３が浴槽側壁の側壁に当接させ、さらにトルク伝達・遮断手段４３によりハンドルノブ４２が空回りする（ハンドルノブ４２からナット４１への回動力の伝達を遮断される）までハンドルノブ４２を回す。
【０１１０】
この結果、本実施形態の浴槽用手摺り１は、浴槽側壁を破損することなく、固定フレーム２と浴槽側壁の上面との間に位置ズレや摩擦力（残留応力）も生じさせることなく、さらに湾曲、傾斜等した形状を有する浴槽側壁であっても柔軟に追従させながら強固に浴槽用側壁に取り付けることができる。
【０１１１】
上記のように本実施形態の浴槽用手摺り１を浴槽用側壁に取り付けた後は、ロックピン２０４のつまみ２０５を動かし、ロックピン２０４による支持脚９００の係止を解除することにより上部グリップ９０の高さ調節を行い、そして支持脚９００のピン孔９０１がスリーブ２０１の挿通孔２０２と整列した位置においてつまみ２０５を自由にすることにより上部グリップ９０の位置を調節する。
【０１１２】
第２の実施形態
次に図８〜１０を用いて、本発明の第２の実施形態に係る浴槽用手摺り１ａを説明する。本実施形態の浴槽用手摺り１ａは、トルク伝達面４３１とトルク伝受面４３３とがハンドルノブ４２及びボルト軸４０の回転軸に対して直交するように配置された第１の態様のトルク伝達・遮断手段４３を有する移動装置４とは異なり、第２の態様の移動装置４ａとして、トルク伝達面をハンドルノブ４２ａの内周面上に設け（以下、「トルク伝達円周面４３１ａ」という）、トルク伝受面４３３ａをボルト軸４０ａの外周面上に設けたタイプのトルク伝達・遮断手段４３ａを使用していること以外は、基本的に第３の実施形態の浴槽用手摺り１ｂと同じ構成を備えている。このため、本実施形態の浴槽用手摺り１ａは、基本的に第１の実施形態の浴槽用手摺り１と同じ効果を奏することができるので、第１の実施形態の浴槽用手摺り１と重複する構成および効果、設置方法については、それらの説明を省略する。
【０１１３】
図８には、第２の態様のトルク伝達・遮断手段４３ａを備えた浴槽用手摺り１ａをボルト軸４０ａの軸に沿って切り取った断面図が示されており、図９には、図８に示される浴槽用手摺り１ａをＸ−Ｘ断面で切り取った断面図が示されている。また、図１０には、図８に示される、引込み操作部３１を有する第１の可動フレーム３ｘの分解図が示されている。
【０１１４】
より具体的には、トルク伝達・遮断手段４３ａは、ハンドルノブ４２ａの回転と同調し、且つハンドルノブ４２ａの回転軸に対して平行な略円筒形のトルク伝達円周面４３１ａを備えた円周伝達部４３０ａと、ナット４１ａの回転と同調し、且つトルク伝達円周面４３１ａに摺接される摺動面４３７ａを備えた摺動部４３２ａとを有しており、そして摺動部４３２ａは、ナット４１ａの回転軸に対して平行であって摺動面４３７ａ上に配設されたキー溝４３８ａと、トルク伝達円周面４３１ａに当接されるトルク伝受面４３３ａを備えており且つキー溝４３８ａの中で、ナット４１ａの回転軸に対して放射方向に移動可能に配置されているキー４４ａと、そしてキー４４ａのトルク伝受面４３３ａを、ハンドルノブ４２ａのトルク伝達円周面４３１ａへ向けて付勢する付勢手段４３４ａとを含んでおり、そしてトルク伝達円周面４３１ａ及びトルク伝受面４３３ａはそれぞれに、伝達される回動力が所定の値未満では、トルク伝達円周面４３１ａとトルク伝受面４３３ａとを相互に係止し、そして伝達される回動力が所定の値以上では、トルク伝達円周面４３１ａとトルク伝受面４３３ａとの間で滑りを生じさせる傾斜面を備えた凹部または凸部を含んでいるという特徴を有している。
【０１１５】
なお、第２の態様の円周伝達部４３０ａは、トルク伝達円周面４３１ａを長期間使用した場合に磨耗することがあるのを考慮して、ハンドルノブ４２ａ本体とは別体の着脱可能な部品として形成されているので、容易に交換することができ、便利である。また、耐摩耗性などが求められないハンドルノブ４２ａ本体をプラスチック材料などから作ることができるので、ハンドルノブ４２ａ周りの加工や軽量化が容易になるという利益がある。
【０１１６】
第２の態様のトルク伝達・遮断手段４３ａでは、トルク伝達円周面４３１ａの回転軸、摺動面４３７ａの回転軸及びトルク伝受面４３３ａの回転軸は、ハンドルノブ４２ａ及びナット４１ａの回転軸と同軸上に配置されている。また、ハンドルノブ４２ａ（円周伝達部４３０ａ）のトルク伝達円周面４３１ａ上には、円筒状のトルク伝達円周面４３１ａからさらに内側に傾斜した斜面を含む凹部／凸部が形成されている。一方、ナット４１ａ（摺動部４３２ａ）の摺動面４３７ａ上には、ナット４１ａの回転軸に対して平行に配設されたキー溝４３８ａが形成されており、そしてキー溝４３８ａの中には、ナット４１ａの回転軸に対して放射方向に移動可能なキー４４ａが配置されている。キー４４ａのトルク伝受面４３３ａ上には傾斜面を含む凹部／凸部が形成されており、キー４４ａは弾性体（付勢手段）４３４ａによってトルク伝達円周面４３１ａに向けて付勢されている。なお、弾性体４３４ａは、コイルバネ、皿バネ、弾性樹脂材料など弾性変形可能なものであれば特に限定されることなく公知のものを使用することができる。
【０１１７】
このため、トルク伝達円周面４３１ａの傾斜面と、キー４４ａのトルク伝受面４３３ａの傾斜面との間には常に一定の摩擦力が生じている。そして、ハンドルノブ４２ａからナット４１ａへ伝達されるトルクが所定の値未満である時、キー４４ａのトルク伝受面４３３ａの傾斜面はハンドルノブ４２ａのトルク伝達円周面４３１ａの傾斜面を乗り越えることができず、互いに噛み合った状態で係合している。そしてこの係合により、ハンドルノブ４２ａのトルクがナット４１ａへ伝達され、該ナット４１ａと螺合するボルト軸４０ａが可動フレーム３と固定フレーム２の相対位置を変化させ、そして該可動フレーム３に取り付けられた引き圧板３３を浴槽側壁へ向けて引き寄せる。
【０１１８】
一方、ハンドルノブ４２ａからナット４１ａへ伝達されるトルクが所定の値以上になると、ナット４１ａのトルク伝受面４３３ａの傾斜面はハンドルノブ４２ａのトルク伝達円周面４３１ａの傾斜面との間に滑りが生じる。その結果、傾斜面を有するキー４４ａは弾性体４３４ａに抗して後退し、キー４４ａのトルク伝受面４３３ａの傾斜面がハンドルノブ４２ａのトルク伝達円周面４３１ａの傾斜面を乗り越えることによって両者の係合が解除される。そのため、この状態でハンドルノブ４２ａを回してもハンドルノブ４２ａはナット４１ａの周りで空回りするのみであり、ハンドルノブ４２ａからナット４１ａへトルクが伝達されることはない。
【０１１９】
また、ハンドルノブ４２ａのトルク伝達円周面４３１ａの傾斜面の後端にはトルク伝達円周面４３１ａに略直交する垂直面が形成されている。また、キー４４ａの幅方向の断面は略台形の形状を呈しているので、キー４４ａのトルク伝受面４３３ａの傾斜面の後端にはキー４４ａの傾斜面に略直交する垂直面が形成されている。ハンドルノブ４２ａのトルク伝達円周面４３１ａの垂直面とキー４４ａのトルク伝受面４３３ａの垂直面は、引き圧板３３（図示せず）を浴槽の側壁から離間させるようにハンドルノブ４２ａを回す時、互いに当接し係合する。そのため、引き圧板３３を浴槽の側壁から離間させるようにハンドルノブ４２ａを回す時は、伝達されるトルクの大きさに拠らず、常にハンドルノブ４２ａとナット４１ａは同調して回転する。
【０１２０】
このように、第２の態様のトルク伝達・遮断手段４３ａは、ナット４１ａの端面ではなく、ナット４１ａの回転軸に対して平行に配設される略円筒形の外周面を利用したものであるが、ナット４１ａ（摺動部４３２ａ）の外周面（摺動面４３７ａ）上にキー溝４３８ａを設け、該キー溝４３８ａの中へ、ナット４１ａの回転軸に対し放射方向に移動して係合／解除可能な傾斜面を有するキー４４ａを配置したので、ハンドルノブ４２ａの内周面とナット４１ａの外周面と隙間が小さい場合においても、ハンドルノブ４２ａからナット４１ａへ確実にトルクを伝達又は遮断することができる。
【符号の説明】
【０１２１】
１，１ａ・・・浴槽用手摺り
２・・・・・固定フレーム
２０・・・・垂直部
２００・・・取付穴
２０１・・・スリーブ
２０２・・・挿通孔
２０３・・・バネ
２０４・・・ロックピン
２０５・・・つまみ
２１・・・・水平部
２１０・・・水平部底面
２２０・・・圧力作用点（当接板）
２２ａ，２２ｂ・・・当接板
３・・・・・可動フレーム
３ｘ・・・・第１の可動フレーム
３ｙ・・・・第２の可動フレーム
３０・・・・引込み部
３１・・・・引込み操作部
３１０・・・開口
３２・・・・連結部
３２ｘ・・・第１の連結部
３２ｙ・・・第２の連結部
３２０・・・ネジ穴
３２１・・・長穴
３２２・・・係止溝付きスリット
３２３・・・切込み
３２４・・・係止溝
３３・・・・引き圧板
３３０・・・圧力作用点（引き圧板）
３４・・・・滑り止めラバー
３５・・・・連結プレート
４，４ａ・・・移動装置
４０，４０ａ・・・ボルト軸
４００，４００ａ・・・フランジ
４０１，４０１ａ・・・止めカバー
４１，４１ａ・・・・ナット
４１０，４１０ａ・・・胴部
４１１，４１１ａ・・・第１のフランジ部
４１２，４１２ａ・・・第２のフランジ部
４１３，４１３ａ・・・ワッシャー
４２，４２ａ・・・・ハンドルノブ
４２０，４２０ａ・・・収納室
４２１，４２１ａ・・・収納胴部
４２２，４２２ａ・・・回転フランジ
４２３・・・上部ハンドルカバー
４２４・・・下部ハンドルカバー
４２５・・・化粧カバー
４３，４３ａ・・・トルク伝達・遮断手段
４３０・・・伝達部
４３０ａ・・・伝達円周部
４３１・・・トルク伝達面
４３１ａ・・・トルク伝達円周面
４３２・・・伝受部
４３２ａ・・・摺動部
４３３，４３３ａ・・・トルク伝受面
４３４，４３４ａ・・・付勢手段
４３５・・・ネジ
４３６・・・ストッパー
４３７ａ・・・摺動面
４３８ａ・・・キー溝
４４ａ・・・キー
９０・・・・上部グリップ
９００・・・支持脚
９０１・・・ピン孔
９１・・・・脚部
９２・・・・側部グリップ
Ｌ２，Ｌ３・・・距離
【図１】
2018000557.tif 000003
【図２】
2018000557.tif 000004
【図３ａ】
2018000557.tif 000005
【図３ｂ】
2018000557.tif 000006
【図４】
2018000557.tif 000007
【図５】
2018000557.tif 000008
【図６】
2018000557.tif 000009
【図７ａ】
2018000557.tif 000010
【図７ｂ】
2018000557.tif 000011
【図８】
2018000557.tif 000012
【図９】
2018000557.tif 000013
【図１０】
2018000557.tif 000014